(57)【要約】      （修正有）【課題】従来の建水の外観の基本的形態を損なわずに、柄杓を建水の上縁部端面での支持を確実にし、竹でなく木を使用した新規の建水を提供する。【解決手段】底部２と一体と成った側周壁面３の上端縁を波形状に凹凸４、５を形成した木製の建水１とした。全面に漆塗装を施すと共に、上端面に粗い乾漆粉を蒔き固めた滑り止め加工をした。【選択図】図２
0003166264.tif 000002
【実用新案登録請求の範囲】
【請求項１】
底部と一体と成った側周壁面の上端縁を波形状に凹凸を形成したことを特徴とする木製の建水。
【請求項２】
側周壁面の上端面に滑り止め加工を施したことを特徴とする請求項１記載の木製の建水。
【請求項３】
全面に漆塗装を施すと共に、上端面に粗い乾漆粉を蒔き固めた滑り止め加工をしたことを特徴とする請求項２記載の木製の建水。
【請求項４】
波形状の凹凸部を夫々五箇所に形成したことを特徴とする請求項１乃至３のいずれかに記載の木製の建水。
【請求項５】
轆轤仕上げで底部と側周壁面を一体に成形したことを特徴とする請求項１乃至４のいずれかに記載の木製の建水。
【考案の詳細な説明】
【技術分野】
【０００１】
本考案は茶道具のひとつである建水に関するものである。
【背景技術】
【０００２】
茶道の道具にひとつとして、茶碗等をすすいだ湯水を捨てる器として建水があり、素材として、金属製、陶磁器製、木竹製、或いは樹脂製等がある。
また、形状としては、上開口部が細くつぼまり胴部がまるく膨らんだ略壺型をなすのが一般的であるけれど、筒型や桶型等、湯を捨てやすいように上開口部が大きく開いているものがほとんどである。
【０００３】
ところで、点前の際に建水を持って茶席へ入る場合には、当該建水の中に蓋置を入れ置くと共に、合部を俯けた柄杓を縁部に載置した状態で、親指と他の指との間で建水本体を把持して持って茶席へ入り座に着くことになる。
【０００４】
この時、柄杓は手で支えたりはせず、建水の上縁部に載置支持した状態で行なわれる。
したがって、柄杓の合部を載置している建水の上縁部端面が細いため、歩いたり、立ち座ったりする際に、柄杓の合部が建水本体の中外に滑り落ちやすく、そのことを気にして、しぐさがぎこちないものに成り易かった。
【０００５】
そこで、特開２００１−７０１２５号公報では、建水本体の上縁に外方に向かって広く延出した縁部を設けたものが開示されている。
このような構成とすることで、縁部が外方に向かって広く延出しているので、柄杓の合部を建水の上縁部上に安定的に載置でき、点前中に歩いたり、立ち座ったり等の動作を行っても柄杓の合部が建水本体内外に滑り落ちにくいため、茶道の経験年数を問わず、だれにでも建水、柄杓の扱いが行い易いものとなる旨述べられている。
【先行技術文献】
【特許文献】
【０００６】
【特許文献１】特開２００１−７０１２５号公報
【考案の概要】
【考案が解決しようとする課題】
【０００７】
本考案は上記の点に鑑み、従来の建水の外観の基本的形態を損なわずに、柄杓を建水の上縁部端面での支持を確実にし、竹でなく木を使用した新規の建水を提供せんとするものである。
【課題を解決するための手段】
【０００８】
本考案の請求項１の考案は、底部と一体と成った側周壁面の上端縁を波形状に凹凸を形成したことを特徴とする木製の建水としたものである。
【０００９】
本考案の請求項２の建水は、請求項１において、全面に漆塗装を施すと共に、上端面に粗い乾漆粉を蒔き固めた滑り止め加工をしたことを特徴とするものである。
【００１０】
本考案の請求項３の建水は、請求項２において、上端面に粗い乾漆粉を蒔き固めた滑り止め加工を施したことを特徴とするものである。
【００１１】
本考案の請求項４の建水は、請求項１乃至３のいずれかにおいて、波形状の凹凸部を夫々五箇所に形成したことを特徴とするものである。
【００１２】
本考案の請求項５の建水は、請求項１乃至４のいずれかにおいて、轆轤仕上げで底部と側周壁面を一体に成形したことを特徴とするものである。
【考案の効果】
【００１３】
請求項１の考案の建水は、側周壁面の上端縁を波形状に凹凸を形成したものであるから、柄杓を建水の上縁部端面に載置する場合に、凸部に合部を被せる恰好で載置すれば、合部が滑動しても凸部に合部の内周縁部が引っ掛かり、建水の上端面から滑落するのを防止する効果がある。
【００１４】
一方、柄部の把持方向側、或いは柄部を共に対向箇所の凹部に載置すると、凸部を越えて滑動するのを阻止する効果を有するため、柄部の滑動が少なくなるのに伴って合部、或いは載置部分となる柄部同士の動きも制約されると共に、相互に影響し合って相乗的に柄杓の滑動を阻止する効果を発揮する。
したがって、建水の上縁部端面で柄杓を確実に支持できるのである。
【００１５】
また、底部と側周壁面が一体に成形されているため、木製であっても底部と側周壁の突合部から水が漏洩するのを防止できる効果を有する。
【００１６】
請求項２の考案の建水は請求項１の効果に加えて、側周壁面の上端面に滑り止め加工を施したものであるから、載置した柄杓が滑って動くことを防止し、更なる安定した支持を行なえる効果を有する。
【００１７】
請求項３の考案の建水は請求項１及び２の効果に加えて、全面に漆塗装を施すと共に、上端面に粗い乾漆粉を蒔き固めた滑り止め加工をしたため、漆塗装で全面が堅牢に成ると共に水の浸透を確実に防止でき、上端面に粗い乾漆粉を蒔き固めることによって容易に、しかも全体の装飾態様に違和感を与えずに滑り止め加工を施すことができる効果を有する。
【００１８】
請求項４の考案の建水は請求項１乃至３の効果に加えて、波形状の凹凸部を夫々五箇所に形成したため、凹凸が所謂五岳の形状となって茶道具に相応しい形態となり、また、五箇所の凹部が形成される結果、建水の上端面の角度位置に関係なく柄杓の載置場所を容易に決められ効果を有する。
【００１９】
請求項５の考案の建水は請求項１乃至４の効果に加えて、轆轤仕上げで底部と側周壁面を一体に成形するものであるから、底部と側周壁面との継ぎ目は勿論、側周壁面同士の継ぎ目も存在しないため、水漏れの虞が皆無となる効果を有する。
【図面の簡単な説明】
【００２０】
【図１】本考案の建水の一実施の形態を示す正面図である。
【図２】図1の簡略化した縦断正面図である。
【図３】使用状態を示す簡略化した縦断側面図である。
【図４】上縁部の一部拡大断面図である。
【図５】側周壁面の一部拡大断面図である。
【考案を実施するための形態】
【００２１】
以下、本考案の好ましい実施の形態について、添付の図面に基づいて説明する。
図１は本考案の一実施の形態を示す建水の正面図、図２は同縦断正面図であり、建水１は、基本的には有底の円筒形に形成されており、天然素材を用いたものである。
【００２２】
建水１は、具体的にはその素地１１が欅、桜又は栗などの木材を轆轤挽により有底の円筒形に成形したものである。
轆轤仕上げで底部２と側周壁面３を一体に成形するものであるから、底部２と側周壁面３との継ぎ目は勿論、側周壁面３同士の継ぎ目も存在しないため、水漏れの虞が皆無となる。
【００２３】
そして、底部２と一体と成った側周壁面３の上端縁を波形状の凹凸４、５に形成されている。
したがって、柄杓１０を上縁部端面３Ａに載置する場合に、凸部５に合部１０Ａを被せる恰好で載置すれば、合部１０Ａが滑動しても凸部５に合部１０Ａの内周縁部が引っ掛かり、建水１の上端面３Ａから滑落するのを防止し、また、合部１０Ａ近傍の柄部１０Ｂを凹部４に載置すれば、柄部１０Ｂが滑動しても凸部５と合部１０Ａの上縁との引っ掛かりが深いため、建水１の上端面から滑落することはない。
【００２４】
一方、把持方向の柄部１０Ｂ、或いは柄部１０Ｂを共に対向箇所の凹部に載置すると、凸部５を越えて滑動することが阻止されるため柄部１０Ｂの滑動が少なくなり、それに伴って合部１０Ａ、或いは載置部分となる柄部１０Ｂ同士の動きも制約される。
【００２５】
波形状の凹凸部４、５を夫々五箇所に形成するのが好ましく、所謂五岳の形状となって茶道具に相応しい形態となり、また、五箇所の凹凸部４、５が形成される結果、建水１の上端面３Ａの対向する凹凸位置が多様となり、柄杓１０の載置場所を容易に決められる。
また、凹凸部の深さは任意であるけれど、緩い凹凸を形成することでも充分に所期の作用を奏して目的を達成できるものである。
【００２６】
素地１１の外側周面及び内側周面の全体には素地１１を堅牢にすると共に装飾要素としての漆塗装が施されている。
漆塗装は有色不透明の下地漆の固化物で形成される下地漆層６が内側に形成してあり、下地漆層６は、下地漆を塗装した後に固化させてから、その塗装面の表面を研ぎ炭により研磨するという一連の工程を、少なくとも２
回以上繰り返し行うことで形成されている。
【００２７】
下地漆層６が施された素地１１の側周壁面３の外側壁面全体には外面塗膜７が形成され、この外面塗膜７は、表面全体に乾漆粉を蒔いて色漆で塗り込んで固化させたものであり、耐久性に優れたものとなっている。
一方、素地１１の側周壁面３の内側壁面全体には内面塗膜８が形成される。
【００２８】
更に、側周壁面３の上端面３Ａには、粗い乾漆粉９を蒔き固めて滑り止め加工が施されている。
この粗い乾漆粉９が上端面３Ａの表面に露出しているため載置した柄杓１０との摩擦が大きくなり、載置した柄杓１０が滑って動くことを阻止して安定した支持を行なえるものである。
【００２９】
外面塗膜７には堅牢性や装飾性を付与するための具体的技法として、例えば、乾漆粉塗装仕上げとすることで、通常の漆塗りに比べて３〜４倍の漆を使用するため、傷がつかず、しかも非常に堅牢となる。
そして、装飾性を付与するものとして、白乾漆粉に朱・黒・緑漆等で適宜なグラデーションに塗り込んで砥ぎ出した彩文に仕上げることができ、また、生漆に砥の粉を練った錆漆で波を描き、その上か朱漆や緑漆を塗り込み、銀平目を蒔いて研ぎ出し、艶消しした根来波塗仕上げとすることもできる。
【００３０】
以上、実施例に基づき本考案を説明したが、本考案は上記実施例に何ら限定されるものではなく、本考案の趣旨を逸脱しない範囲内で種々の改良変形が可能であることは容易に推察できるものである。
例えば、側周面の上縁に形成する凹凸の数は五個に限定されるものでなく、また、滑り止め加工もその他公知の加工手段を用いることができることは明示するまでもない。
【符号の説明】
【００３１】
１      建水
２      底部
３      側周壁面
３Ａ    上端面
４      凹部
５      凸部
６      下地漆層
７      外面塗膜
８      内面塗膜
９      粗い乾漆粉
１０    柄杓
１０Ａ  合部
１０Ｂ  柄部
１１    素地
【図１】
0003166264.tif 000003
【図２】
0003166264.tif 000004
【図３】
0003166264.tif 000005
【図４】
0003166264.tif 000006
【図５】
0003166264.tif 000007